(57)【要約】【課題】  無駄な電力の消費を抑えると共に、装置が大掛かりにならず、簡単に低価格で構成することができる電磁接触器駆動回路を提供する。【解決手段】  直流電源または交流電源を整流した直流電源により設定された電圧の高い投入用電圧源３と電圧の低い保持用電圧源２、上記保持用電圧源２にスイッチ４を介して接続された電磁接触器６の電磁コイル、上記電磁コイルに並列接続された上記電磁接触器の常閉接点６ｂと補助継電器５との直列接続体、上記電磁コイルと上記投入用電圧源３との間に接続された上記補助継電器の常開接点５ａ、及び上記補助継電器と電磁コイルにそれぞれ並列接続されたフライホイールダイオード８、９を備えた構成とする。【選択図】図１
2006318661.tif 000002
【特許請求の範囲】
【請求項１】
直流電源または交流電源を整流した直流電源により設定された電圧の高い投入用電圧源と電圧の低い保持用電圧源、上記保持用電圧源にスイッチを介して接続された電磁接触器の電磁コイル、上記電磁コイルに並列接続された上記電磁接触器の常閉接点と補助継電器との直列接続体、上記電磁コイルと上記投入用電圧源との間に接続された上記補助継電器の常開接点、及び上記補助継電器と電磁コイルにそれぞれ並列接続されたフライホイールダイオードを備えたことを特徴とする電磁接触器駆動回路。
【請求項２】
上記交流電源は、単相または三相交流電源であることを特徴とする請求項１記載の電磁接触器駆動回路。
【請求項３】
上記補助継電器は、限時継電器であることを特徴とする請求項１または請求項２記載の電磁接触器駆動回路。
【発明の詳細な説明】
【技術分野】
【０００１】
この発明は、電磁接触器駆動回路、特に電磁接触器の励磁コイルをＡＣ電源とＤＣ電源の両方で駆動可能なＡＣ／ＤＣ共用電磁接触器の駆動回路に関するものである。
【背景技術】
【０００２】
図２は、従来から最も多く使用されている電磁接触器駆動回路の例を示す回路図である。
この図に示すように、直流電源１１に電磁接触器投入用の操作スイッチ４を介して電磁接触器の電磁コイル６と保持用抵抗１２の直列接続体が接続されている。
【０００３】
１０は保持用抵抗１２に並列接続された保持用スイッチで、電磁石のストロークと連動したものなどが用いられている。保持用スイッチ１０を閉路した状態で操作スイッチ４を閉路すると、保持用抵抗１２は保持用スイッチ１０で短絡されているため、電磁コイル６には直流電源１１の全電圧が印加されて、始動電流が流れ、図示しない電磁石に吸着エネルギが与えられて吸着する。
【０００４】
吸着後は保持用スイッチ１０を開路して保持用抵抗１２を電磁コイル６に直列に挿入することにより、保持に必要な少ない電流とする。また、電磁コイル６の釈放時には操作スイッチ４を開路する。この方式では、吸着保持に必要な少ない電流にするために保持用抵抗１２を使用しているため、無駄な電力を消費する欠点がある。
【０００５】
この欠点を解消するためにＡＣ／ＤＣ共用電磁接触器等が提案され（例えば特許文献１参照）、例えば電磁コイルを投入用と保持用の２個に分け、半導体スイッチで切り替えるようにしたり、１個の電磁コイルに流れる電流を半導体スイッチによって投入時と保持時で切り替える等の提案がされている。
【０００６】
【特許文献１】特開２００２−１８４２８３号公報
【発明の開示】
【発明が解決しようとする課題】
【０００７】
従来の電磁接触器駆動回路は以上のように構成されており、電磁コイルの電流を保持状態である少ない電流に切り替える時、保持用抵抗を直列接続していたため、抵抗による無駄な電力の消費があった。また、抵抗による無駄な電力の消費をしないようにするため、最初から投入用と保持用の２つの電磁コイルを設け、これらの電磁コイルを半導体スイッチで切り替えるようにしたものや、電磁コイルは１つにして、半導体スイッチによって投入時に流す電流と保持時に流す電流とを切り替えるようにしたものなどがあるが、いずれも装置が複雑で大掛かりになるなどの問題点があった。
【０００８】
この発明は上記のような問題点を解消するためになされたものであり、無駄な電力の消費を抑えると共に、装置が大掛かりにならず、簡単に低価格で構成することができる電磁接触器駆動回路を提供することを目的とする。
【課題を解決するための手段】
【０００９】
この発明に係る電磁接触器駆動回路は、直流電源または交流電源を整流した直流電源により設定された電圧の高い投入用電圧源と電圧の低い保持用電圧源、上記保持用電圧源にスイッチを介して接続された電磁接触器の電磁コイル、上記電磁コイルに並列接続された上記電磁接触器の常閉接点と補助継電器との直列接続体、上記電磁コイルと上記投入用電圧源との間に接続された上記補助継電器の常開接点、及び上記補助継電器と電磁コイルにそれぞれ並列接続されたフライホイールダイオードを備えたものである。
【発明の効果】
【００１０】
この発明によれば、電磁接触器の入力電圧として、交流電源を全波整流した直流電源あるいは直接直流電源から投入用と保持用の２種類の直流電圧源を設定し、電磁接触器の入り操作で、電磁コイルに最初に投入用直流電圧を印加し、電磁コイルが励磁されたことを電磁接触器の補助常閉接点で検出した後、その補助常閉接点が補助継電器に直列接続されていることから、補助継電器が無励磁となった時点で、補助継電器の補助常開接点を利用して投入用直流電圧から保持用直流電圧印加に切り替えるようにしたので、投入時と保持時の電圧がそれぞれ最適な電圧で印加されるようになり、抵抗器等による無駄に消費される電力がなくなると共に、投入時と保持時の切り替えも半導体スイッチ等を使った大掛かりなものではないため、簡単で低価格の装置が得られる。
【００１１】
また、電磁接触器の仕様として、６０Ｈｚ仕様しか、市場に供給されていない場合に、例えば４００Ｈｚ電源で駆動する必要がある場合でも、投入用と保持用の２種類の電磁コイルに分ける必要がなく、そのまま６０Ｈｚ仕様の１個の電磁コイルに対し、４００Ｈｚ電源を全波整流して直流電源を作ればよいため、周波数に関係なく、駆動できる装置が得られる。
【発明を実施するための最良の形態】
【００１２】
実施の形態１．
以下、この発明の実施の形態１を図にもとづいて説明する。図１は、実施の形態１の構成を示す回路図である。この図において、単層交流電源ＡＣに接続された変圧器１の出力側にタップを設けることにより、電圧の高い投入用電圧源と、電圧の低い保持用電圧源の２種類の電圧源を作り、投入用電圧は全波整流器３に印加され、保持用電圧は全波整流器２に印加されている。
【００１３】
全波整流器２の出力側には、操作スイッチ４を介して電磁接触器６の電磁コイルとダイオード７との直列接続体及び電磁接触器６の補助ｂ接点である常閉接点６ｂと補助継電器５との直列接続体が並列接続されている。全波整流器３の出力側には、補助継電器５の補助ａ接点である常開接点５ａが直列に入り、これが電磁接触器６の電磁コイルとダイオード７の間に接続されている。補助継電器５及び電磁接触器６の電磁コイルには、コイルの逆起電力を吸収するためのフライホイールダイオード８及び９がそれぞれ並列に接続されている。
【００１４】
次に実施の形態１の動作について説明する。操作スイッチ４を投入すると、全波整流器２の保持用の低い電圧が常閉接点６ｂを介して補助継電器５の電磁コイルに印加されて補助継電器５を励磁し、同時に電磁接触器６の電磁コイルにも保持用の低い電圧が印加される。この時点では、電磁接触器６は、電圧が低いため動作に至らない。補助継電器５が動作した結果、この補助a接点５ａが閉となり、電磁接触器６の電磁コイルには全波整流器３から供給される高い電圧の投入用電圧が印加され、励磁されて動作する。
【００１５】
この結果、電磁接触器６の補助ｂ接点６ｂが開となり、補助継電器５の電磁コイルが無励磁となる。その結果、補助ａ接点５ａが開となり、電磁接触器６の電磁コイルは全波整流器３の投入用電圧から全波整流器２の保持用電圧に切り替り、電磁接触器６の電磁コイルの励磁は維持され、動作が継続する。次に操作スイッチ４を開放すると、電磁接触器６の電磁コイルは無励磁となり釈放される。
【００１６】
なお、上述した実施の形態１では、投入と保持の電圧を切り替えるために、抵抗を使用せず、変圧器１により、投入用と保持用の２種類の電圧を作っているため、抵抗による無駄な電力の消耗を防止することができる。また、投入と保持電圧の切り替えを電磁接触器６の電磁コイルが励磁され動作したことを検出する補助ｂ接点６ｂの開動作によって補助継電器５を無励磁とし、その補助ａ接点５ａの開動作によって投入電圧から保持電圧に切り替えているため、半導体スイッチを使用した方式と比較して、簡単に構成することができ、安価な装置を得ることができる。
【００１７】
更に補助継電器５が補助ｂ接点６ｂにより無励磁となった時にフライホイールダイオード８の効果により、補助継電器５が釈放される時間が遅れるため、一層確実に投入から保持に切り替えることができる。
【００１８】
実施の形態２．
次に、この発明の実施の形態２について説明する。上述した実施の形態１では、図１において交流電源ＡＣを単相とし、変圧器１及び全波整流器２、３は全て単相のものとして図示しているが、交流電源ＡＣは三相交流電源としてもよい。また、図１の全波整流器２及び３に代えて、それぞれの直流出力側に直接直流電源を接続しても同じ効果が得られる。
【００１９】
実施の形態３．
次に、この発明の実施の形態３について説明する。上述した実施の形態１では、投入電圧から保持電圧への切り替えタイミングを、電磁接触器６の補助ｂ接点６ｂの開動作後、補助継電器５の動作タイミング分だけ遅らせているが、これに代えて補助継電器５を限時継電器とし、１秒程度の時間を遅らせて動作するようにすれば、更に確実な投入動作を行わせることができる。
【図面の簡単な説明】
【００２０】
【図１】この発明の実施の形態１の構成を示す回路図である。
【図２】従来の電磁接触器駆動回路を示す回路図である。
【符号の説明】
【００２１】
１  変圧器、  ２、３  全波整流器、  ４  操作スイッチ、  ５  補助継電器、
５ａ  常開接点、  ６  電磁接触器、  ６ｂ  常閉接点、  ７  ダイオード、
８、９  フライホイールダイオード。
【図１】
2006318661.tif 000003
【図２】
2006318661.tif 000004